【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
コンピューター読み取り可能媒体上に具体化し、コンピューター上で実行可能なグラフィカル・ユーザー・インターフェースであって、
frameset ＨＴＭＬタグの実行時にレンダリングされる第１表示エリアであって、該第１表示エリアが、１つ以上の結果のリストを表示するように構成され、前記１つ以上の結果のリストが、検索エンジン照会を満たすため検索エンジンにより判定されたウェブ・ページへの１つ以上のハイパーリンクを含み、前記第１表示エリアが、
（１）前記１つ以上のハイパーリンクのうちの第１ハイパーリンクのユーザーによる第１の選択と、
（２）その後における、前記１つ以上のハイパーリンクのうちの第２ハイパーリンクのユーザーによる第２の選択と、
を受ける、第１表示エリアと、
前記frameset ＨＴＭＬタグを実行することによって前記第１表示エリアと同時にレンダリングされる第２表示エリアであって、該第２表示エリアが、
（１）ユーザーが前記第１ハイパーリンクの前記第１の選択を行ったときに前記第１ハイパーリンクに関連したウェブ・ページを、目視フレームにおいて、前記リストとは別に表示し、
（２）前記第２ハイパーリンクのユーザーによる前記第２の選択時に、前記ウェブ・ページではなく前記第２ハイパーリンクに関連した第２のウェブ・ページを、前記目視フレームにおいて表示して、前記目視フレームと前記リストとがユーザーに同時に表示されるようにする、
ように構成された第２表示エリアと、
を含む、グラフィカル・ユーザー・インターフェース。
【請求項２】
請求項１記載のグラフィカル・ユーザー・インターフェースにおいて、前記検索エンジン照会は、前記照会を、特定の種類のウェブ・リソースと関連した情報に絞り込むために、ユーザーが発した指示を含む、グラフィカル・ユーザー・インターフェース。
【請求項３】
請求項２記載のグラフィカル・ユーザー・インターフェースにおいて、前記特定の種類のウェブ・リソースは、ニュース、ブログ、ウェブ・フィード、またはオンライン空間のうち少なくとも１つを含む、グラフィカル・ユーザー・インターフェース。  
【請求項４】
請求項１記載のグラフィカル・ユーザー・インターフェースにおいて、前記第１表示エリアは、１つ以上のアイコンを表示するように構成されており、ユーザーがアイコンを選択すると、結果を探索し別個のウェブ・ブラウザー・ウィンドウに表示する、グラフィカル・ユーザー・インターフェース。
【請求項５】
請求項１記載のグラフィカル・ユーザー・インターフェースであって、更に、検索エンジンに提出するための１つ以上のキーワードをユーザーが入力することができるテキスト・フィールドを表示するように構成された第３表示エリアを含む、グラフィカル・ユーザー・インターフェース。
【請求項６】
請求項１記載のグラフィカル・ユーザー・インターフェースにおいて、前記ウェブ・リソースはニュース記事である、グラフィカル・ユーザー・インターフェース。
【請求項７】
請求項１記載のグラフィカル・ユーザー・インターフェースにおいて、前記ウェブ・リソースはウェブ・ページである、グラフィカル・ユーザー・インターフェース。
【請求項８】
請求項１記載のグラフィカル・ユーザー・インターフェースにおいて、前記ウェブ・リソースは、オーディオ・クリップ、ビデオ・クリップ、または画像のうち少なくとも１つを含む、グラフィカル・ユーザー・インターフェース。
【請求項９】
請求項１記載のグラフィカル・ユーザー・インターフェースであって、更に、特定の判断基準を満たす結果だけを表示するように、前記検索エンジン照会の１つ以上の結果のリストにフィルターをかけるように構成された第３表示エリアを含む、グラフィカル・ユーザー・インターフェース。
【請求項１０】
ディスプレイとユーザー・インターフェース選択デバイスとを含むグラフィカル・ユーザー・インターフェースを有するコンピューター・システムにおいて、検索エンジン照会の１つ以上の結果のリストを、前記１つ以上の結果に関係するウェブ・リソースを提示するのと同時にウェブ・ブラウザー・ウィンドウにおいて提示する方法であって、
前記検索エンジン照会を提出するステップと、
前記１つ以上の結果を受信するステップであって、前記１つ以上の結果が、前記検索エンジン照会を満たすと検索エンジンが判定したウェブ・ページへのハイパーリンクを含む、ステップと、
前記ウェブ・ブラウザー・ウィンドウにおいてframeset ＨＴＭＬタグを実行して、前記検索エンジン照会の１つ以上の結果のリストを表示するリスト・エリアと、探索したウェブ・ページを表示する目視フレームとを発生するステップと、
ユーザーが前記１つ以上の結果からハイパーリンクを選択したことを判定するステップと、
前記ユーザーが前記ハイパーリンクを選択したことに関係して、前記ハイパーリンクが示すウェブ・ページのためのサーバに対しＨＴＴＰ要求を提出するステップと、
前記ウェブ・ページを受信するステップと、
前記目視フレームにおいて関連した前記ウェブ・ページをレンダリングし、これと同時に前記リスト・エリアをレンダリングするステップと、
を含む、方法。
【請求項１１】
請求項１０記載の方法であって、更に、新たなウェブ・ブラウザー・ウィンドウの中に前記結果を開く指示を受信するステップを含む、方法。
【請求項１２】
請求項１１記載の方法において、前記指示は、前記結果に隣接して位置するアイコンのユーザー選択である、方法。
【請求項１３】
請求項１０記載の方法において、前記結果ページは、１つ以上のアイコンを含み、該１つ以上のアイコンは、ユーザーにより選択されたときに、関連するウェブ・リソースを探索し、該関連するウェブ・リソースを新たなウェブ・ブラウザー・ウィンドウに表示するように構成された、方法。
【請求項１４】
請求項１０記載の方法において、前記検索エンジン照会は、オンライン・ニュース記事と関連したキーワードを含む、方法。
【請求項１５】
請求項１０記載の方法であって、更に、ユーザーが選択した判断基準によって、前記検索エンジン照会の１つ以上の結果にフィルターをかけるステップを含む、方法。
【請求項１６】
請求項１５記載の方法において、前記判断基準はブログを含む、方法。
【請求項１７】
コンピューター実行可能命令を具体化した１つ以上のコンピューター読み取り可能媒体であって、前記コンピューター実行可能命令は、検索エンジン照会の１つ以上の結果のリストを、前記１つ以上の結果に関係するウェブ・リソースを提示するように構成された目視フレームと同じウェブ・ブラウザー・ウィンドウにおいて提示するためのものであり、
frameset ＨＴＭＬタグを実行して、ウェブ・ブラウザー・ウィンドウにおいて前記検索エンジン照会の１つ以上の結果のリストを表示するリスト・エリアと、前記目視フレームとを生成し、
１つ以上の結果を受信し、前記１つ以上の結果が、前記検索エンジン照会に答えると検索エンジンにより判定されたウェブ・ページへの複数のハイパーリンクを含み、
前記１つ以上の結果におけるあるハイパーリンクのユーザー選択を受け、
前記ハイパーリンクが示すウェブ・ページに対するＨＴＴＰ要求を提出し、
前記ウェブ・ページを受け、
前記ウェブ・ブラウザー・ウィンドウにおいて、前記ウェブ・ページを目視フレームにおいてレンダリングし、その間、１つ以上の結果の前記リストが表示され、
前記１つ以上の結果における第２のハイパーリンクの第２のユーザー選択を受け、
前記第２のハイパーリンクが示す第２のウェブ・ページに対する第２のＨＴＴＰ要求を提出し、
前記第２のウェブ・ページを受け、
前記目視フレームにおいて、前記第１のウェブ・ページではなく前記第２のウェブ・ページをレンダリングし、その間、１つ以上の結果の前記リストが表示されて、１つ以上の結果の前記リストと前記目視フレームとの両方が前記ウェブ・ブラウザー・ウィンドウ同時に表示されるようにする、
ことを含む、１つ以上のコンピューター読み取り可能媒体。
【請求項１８】
請求項１７記載の１つ以上のコンピューター読み取り可能媒体において、前記１つ以上の結果の各々を、前記ウェブ・ページ上において１つ以上のアイコンに隣接して表示し、前記アイコンは、ユーザーにより選択されると、１つ以上のウェブ・リソースの表示を新たなウェブ・ブラウザー・ウィンドウにおいて開始する、１つ以上のコンピューター読み取り可能媒体。
【請求項１９】
請求項１７記載の１つ以上のコンピューター読み取り可能媒体であって、更に、前記１つ以上の結果からユーザーが選択した１つに、指示を適用することを含む、１つ以上のコンピューター読み取り可能媒体。